(57)【要約】【課題】本発明の目的は、第５ノードがメッセージを中継するメッシュ手段の４つのノードの何れか１つのマスター／スレーブ方式の無線接続手段に接続することができるシステムを提供することにある。【解決手段】ブロードキャストの無線ビーコン送信手段と、マスター／スレーブ方式の無線接続手段と、を備える４つのノードの内の、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備えるノードを備えて、メッセージを中継するメッシュ手段と、メッシュ手段のノードの何れか１つの無線接続手段に接続する第５ノードと、メッシュ手段からのメッセージの無線受信手段を備える第６ノードと、を具備することを特徴とする。【選択図】図１
2018117381.tif 000002
【特許請求の範囲】
【請求項１】
ブロードキャストの無線ビーコン送信手段と、マスター／スレーブ方式の無線接続手段と、を備える４つのノードの内の、第１ノードが第２ノード、第３ノードおよび第４ノードへのメッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記ノードを備えて、前記メッセージを中継するメッシュ手段と、
前記メッシュ手段の前記ノードの何れか１つの前記無線接続手段に接続する第５ノードと、
前記メッシュ手段からの前記メッセージの無線受信手段を備える第６ノードと、を具備することを特徴とするシステム。
【請求項２】
請求項１に記載のシステムに用いることを特徴とする第１ノード。
【請求項３】
請求項１に記載のシステムに用いることを特徴とする第６ノード。
【請求項４】
請求項１に記載のシステムに用いる前記第１無線送信手段または前記無線受信手段を備えることを特徴とする無線通信用集積回路。
【請求項５】
プロセッサを、
請求項１に記載のシステムに用いる前記第１無線送信手段または前記無線受信手段として機能させるための制御プログラム。
【請求項６】
請求項１に記載のシステムに用いる前記第１無線送信手段または前記無線受信手段を備えることを特徴とする無線通信用モジュール。
【発明の詳細な説明】
【技術分野】
【０００１】
本発明は、無線通信システムに関する。
【背景技術】
【０００２】
従来、クラスタ通信システムとしてアドホックに形成される通信効率の良い通信ネットワークを構成する通信システムが知られている。例えば、特開２０１０−２６３３４９号公報に記載の技術は、各クラスタには複数の端末装置が含まれ、各クラスタには、上位ノードの端末装置としてヘッドノードもしくはゲートウェイノードが１つ含まれ、その他の端末装置はすべて下位ノードであり、クラスタの上位ノードは、クラスタ内のセンス周期に対する通信時間長の比を管理し、下位ノードは、通信の状態や電源残量などに応じて、適宜ほかのクラスタの上位ノードをセンスして、通信効率が向上するか、省電力に有利か、等を、上位ノードが設定したセンス周期に対する通信時間長の比に基づいて比較し、他の上位ノードが望ましい場合には、上位ノードを切り替える技術が開示されている。
【先行技術文献】
【特許文献】
【０００３】
【特許文献１】特開２０１０−２６３３４９号公報
【発明の概要】
【発明が解決しようとする課題】
【０００４】
ところで、従来のクラスタ通信システムは、第５ノードがメッセージを中継するメッシュ手段の４つのノードの何れか１つのマスター／スレーブ方式の無線接続手段に接続することができないと言った問題があった。
【０００５】
そこで、本発明の目的は、第５ノードがメッセージを中継するメッシュ手段の４つのノードの何れか１つのマスター／スレーブ方式の無線接続手段に接続することができるシステムを提供することにある。
【課題を解決するための手段】
【０００６】
課題を解決するため本発明のシステムは、ブロードキャストの無線ビーコン送信手段と、マスター／スレーブ方式の無線接続手段（Ｈ）と、を備える４つのノード（１）の内の、第１ノード（１ａ）が第２ノード（１ｂ）、第３ノード（１ｃ）および第４ノード（１ｄ）へのメッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記ノード（１）を備えて、前記メッセージを中継するメッシュ手段と、前記メッシュ手段の前記ノード（１）の何れか１つの前記無線接続手段（Ｈ）に接続する第５ノード（３）と、前記メッシュ手段からの前記メッセージの無線受信手段を備える第６ノード（３）と、を具備することを特徴とする。
【発明の効果】
【０００７】
本発明によれば、システムは、第５ノードがメッセージを中継するメッシュ手段の４つのノードの何れか１つのマスター／スレーブ方式の無線接続手段に接続することができる。
【図面の簡単な説明】
【０００８】
【図１】実施形態の通信ネットワークシステムの構成図である。
【発明を実施するための形態】
【０００９】
以下、本発明の実施の一形態について詳細に説明する。
【００１０】
図１は実施形態の通信ネットワークシステムの構成図である。通信ネットワークシステムは、クラスタ（図１の点線内）を構築するワイヤレスＵＳＢのホスト通信部Ｈ、クラスタに参加する少なくとも１つ以上のワイヤレスＵＳＢのデバイス通信部Ｄ、ＩＰパケット及びワイヤレスＵＳＢパケットを送受信する図示させていない情報処理部、および各ポートがホスト通信部Ｈとデバイス通信部Ｄと情報処理部に繋がり、ＩＰパケット及びワイヤレスＵＳＢパケットを受信して他のポートへ転送するスイッチ部Ｓを備えるノード装置１と、デバイス通信部Ｄを備え、該デバイス通信部Ｄを介してワイヤレスＵＳＢパケットを送受信する周辺装置２と、デバイス通信部Ｄを備え、該デバイス通信部Ｄを介してＩＰパケット及びワイヤレスＵＳＢパケットを送受信するＩＰ端末３と、から構成され、ノード装置１が複数存在し、１つのクラスタに少なくとも１つ以上のデバイス通信部Ｄが参加可能であり、ノード装置１のデバイス通信部Ｄが他のノード装置１のホスト通信部Ｈが構築したクラスタに参加してクラスタ内通信を行うことで、クラスタ同士が網目構造に接続された通信ネットワークを構築し、周辺装置２とＩＰ端末３のデバイス通信部Ｄが何れか１つのクラスタに参加してクラスタ内通信を行い、クラスタ内で複数のノード装置１、周辺装置２およびＩＰ端末３が共存する。
【００１１】
ノード装置１、周辺装置２、ＩＰ端末３などの装置は、ＣＰＵ、ＲＯＭ、ＲＡＭなどを有するコンピュータ部と、共通のコネクション鍵を備えている。ノード装置１のホスト通信部Ｈとデバイス通信部Ｄは無線送受信部を共有している。ノード装置１とＩＰ端末３は、スイッチ部ＳがＩＰパケット及びワイヤレスＵＳＢパケットを転送することができるため、ＩＰ接続を行うことができる。また、通信ネットワークを介して任意の周辺装置２を接続して利用することができる。スイッチ部Ｓは、Ｌ３スイッチを構成し、ＩＰ通信用とワイヤレスＵＳＢ通信用の２つのＦＤＢ（Forwarding DataBase）などを備え、各ポートから受信したＩＰパケットとワイヤレスＵＳＢパケットを夫々のＦＤＢなどに照らして他のポートへ転送することとなる。
【００１２】
ノード装置１は、自己の識別情報などをクラスタ識別情報とし、該クラスタ識別情報および自己のデバイス通信部Ｄが参加したクラスタのクラスタ識別情報を含むビーコンを自己のホスト通信部Ｈから他のノード装置１に向けてブロードキャスト送信させるとともに、他のノード装置１から受信したビーコンを基に自己のデバイス通信部Ｄを参加させるクラスタを選んでそこに参加させて、自己を含む３つのノード装置１が連環する様に制御する。具体的には、ノード装置１ａの場合に、受信したビーコンを基に一方のデバイス通信部Ｄが、自己を含む３つのノード装置１が連環をなす条件に該当するノード装置１ｂが構築したクラスタを選んで参加し、自己を含む３つのノード装置１ａ、１ｂ、１ｃを環にさせるとともに、受信したビーコンを基に他方のデバイス通信部Ｄが自己を含む３つのノード装置１が、連環をなす条件に該当するノード装置１ｄが構築したクラスタを選んで参加し、自己を含む３つのノード装置１ａ、１ｂ、１ｄを連環させることとなる。ここで、ノード装置１は、自己を含む３つのノード装置１が連環を構成する適当なクラスタが見当たらない場合に、自己が接続していない他のノード装置１が構築した任意のクラスタを見付けてそこに参加することとなる。
【００１３】
上記実施形態において、通信ネットワークシステムは、クラスタを構築するとともに、他のクラスタに参加する各ノード装置１から構成され、ノード装置１が少なくとも１つ以上の該他のクラスタに参加してクラスタ内通信を行い、少なくとも１つ以上のノード装置１を参加させた各クラスタ同士が網目状に接続された部分を含む通信ネットワークを構築することを特徴とする。また、クラスタを構築するとともに、他のクラスタに参加する各ノード装置１から構成され、ノード装置１が少なくとも１つ以上の該他のクラスタに参加してクラスタ内通信を行う通信ネットワークを構築し、通信ネットワークが２つ又は３つのクラスタにより、３つのノード装置１が連環された部分を含むことを特徴としてもよい。また、ノード装置１において、自己が構築したクラスタと自己が参加した他のクラスタの識別情報を他のノード装置１に通知する手段と、該他のノード装置１から識別情報を取得し自己を含む３つのノード装置１を連環させる様に自己が他のクラスタに参加する手段を備えることを特徴としてもよい。また、ノード装置１、周辺装置２、ＩＰ端末３がホスト通信部Ｈ、スイッチ部Ｓ、デバイス通信部Ｄなどを備えた通信用集積回路を備え、該通信用集積回路によりホスト通信部Ｈ、スイッチ部Ｓ、デバイス通信部Ｄなどが制御されてノード装置１、周辺装置２、ＩＰ端末３を実現する構成としてもよい。また、ノード装置１が通信ネットワークの端末を構成していてもよい。また、ノード装置１、周辺装置２、ＩＰ端末３としてワイヤレスＵＳＢを用いた装置を用いたがノード装置１、周辺装置２、ＩＰ端末３を、ワイヤレスＵＳＢを用いた装置を問わず、例えば、特開２０１０−２６３３４９号公報の端末装置と同様の構成などとしてもよい。
【００１４】
上記実施形態によれば、通信ネットワークシステムは、クラスタ同士を網目状に接続することができる。
【００１５】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１６】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１７】
また、インターネット、ＬＡＮ等のネットワークシステムを介して制御プログラムをダウンロードし、インストールして実行するように構成することも可能である。
【符号の説明】
【００１８】
１…ノード装置，２…周辺装置，３…ＩＰ端末，Ｈ…ホスト通信部，Ｄ…デバイス通信部，Ｓ…スイッチ部
【図１】
2018117381.tif 000003
【手続補正書】
【提出日】平成30年3月21日(2018.3.21)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段と、マスター／スレーブ方式の無線接続手段（Ｈ）と、を備え、送信メッセージを中継するメッシュネットワークを構成する４つのノードの内の、第１ノードが第２ノード、第３ノードおよび第４ノードへの前記送信メッセージの第１無線送信手段と、前記第２ノードが前記第１ノード、前記第３ノードおよび前記第４ノードへの前記送信メッセージの第２無線送信手段と、前記第３ノードが前記第１ノードおよび前記第２ノードへの前記送信メッセージの第３無線送信手段と、前記第４ノードが前記第１ノードおよび前記第２ノードへの前記送信メッセージの第４無線送信手段と、を備える前記ノードと、
前記第１ノード、前記第２ノード、前記第３ノード、前記第４ノードの何れか１つと前記マスター／スレーブ方式で無線接続し、前記メッシュネットワークが中継する前記送信メッセージを受信する第５ノードと、
前記第１ノード、前記第２ノード、前記第３ノード、前記第４ノードの何れか定めた１つと無線通信を行い、受信した前記送信メッセージを中継せず終着させる前記メッシュネットワークの端末手段として機能する第６ノードと、を具備することを特徴とするシステム。
【請求項２】
請求項１に記載のシステムに用いる前記第１ノード、前記第２ノード、前記第３ノード、前記第４ノードまたは前記第６ノードであることを特徴とする無線通信ノード。
【請求項３】
請求項１に記載のシステムに用いる前記端末手段、或いは、前記端末手段との無線通信手段を備えることを特徴とする無線通信用集積回路。
【請求項４】
プロセッサを、
請求項１に記載のシステムに用いる前記端末手段、或いは、前記端末手段との無線通信手段として機能させるための制御プログラム。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段と、マスター／スレーブ方式の無線接続手段（Ｈ）と、を備え、送信メッセージを中継するメッシュネットワークを構成する４つのノード（１）の内の、第１ノード（１ａ）が第２ノード（１ｂ）、第３ノード（１ｃ）および第４ノード（１ｄ）への前記送信メッセージの第１無線送信手段と、前記第２ノード（１ｂ）が前記第１ノード（１ａ）、前記第３ノード（１ｃ）および前記第４ノード（１ｄ）への前記送信メッセージの第２無線送信手段と、前記第３ノード（１ｃ）が前記第１ノード（１ａ）および前記第２ノード（１ｂ）への前記送信メッセージの第３無線送信手段と、前記第４ノード（１ｄ）が前記第１ノード（１ａ）および前記第２ノード（１ｂ）への前記送信メッセージの第４無線送信手段と、を備える前記ノード（１）と、前記第１ノード（１ａ）、前記第２ノード（１ｂ）、前記第３ノード（１ｃ）、前記第４ノード（１ｄ）の何れか１つと前記マスター／スレーブ方式で無線接続し、前記メッシュネットワークが中継する前記送信メッセージを受信する第５ノード（２）と、前記第１ノード（１ａ）、前記第２ノード（１ｂ）、前記第３ノード（１ｃ）、前記第４ノード（１ｄ）の何れか定めた１つと無線通信を行い、受信した前記送信メッセージを中継せず終着させる前記メッシュネットワークの端末手段として機能する第６ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッシュネットワークの４つのノードの何れか１つとマスター／スレーブ方式で無線接続し、メッシュネットワークが中継する送信メッセージを受信することができないと言った問題があった。
【手続補正４】
【補正対象書類名】明細書
【補正対象項目名】０００５
【補正方法】変更
【補正の内容】
【０００５】
そこで、本発明の目的は、第５ノードがメッシュネットワークの４つのノードの何れか１つとマスター／スレーブ方式で無線接続し、メッシュネットワークが中継する送信メッセージを受信することができるシステムを提供することにある。
【手続補正５】
【補正対象書類名】明細書
【補正対象項目名】０００７
【補正方法】変更
【補正の内容】
【０００７】
本発明によれば、システムは、第５ノードがメッシュネットワークの４つのノードの何れか１つとマスター／スレーブ方式で無線接続し、メッシュネットワークが中継する送信メッセージを受信することができる。
【手続補正書】
【提出日】平成30年3月21日(2018.3.21)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段と、マスター／スレーブ方式の無線接続手段と、第１ノードが送信メッセージの第２ノード、第３ノードおよび第４ノードへの第１無線送信手段と、前記第２ノードが前記送信メッセージの前記第１ノード、前記第３ノードおよび前記第４ノードへの第２無線送信手段と、前記第３ノードが前記送信メッセージの前記第１ノードおよび前記第２ノードへの第３無線送信手段と、前記第４ノードが前記送信メッセージの前記第１ノードおよび前記第２ノードへの第４無線送信手段と、を備え、前記送信メッセージを中継するメッシュネットワークを構成する４つのノードと、
前記ノードの何れか１つと前記マスター／スレーブ方式で無線接続し、前記メッシュネットワークが中継する前記送信メッセージを受信する第５ノードと、
前記ノードの何れか定めた１つと無線通信を行い、受信した前記送信メッセージを中継せず終着させる前記メッシュネットワークの端末手段として機能する第６ノードと、を具備することを特徴とするシステム。
【請求項２】
請求項１に記載のシステムに用いる前記第１ノード、前記第２ノード、前記第３ノード、前記第４ノードまたは前記第６ノードとして前記メッシュネットワークを構成することを特徴とする無線通信ノード。
【請求項３】
請求項１に記載のシステムに用いる前記端末手段、或いは、前記端末手段との無線通信手段を備えることを特徴とする無線通信用集積回路。
【請求項４】
プロセッサを、
請求項１に記載のシステムに用いる前記端末手段、或いは、前記端末手段との無線通信手段として機能させるための制御プログラム。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段と、マスター／スレーブ方式の無線接続手段（Ｈ）と、第１ノード（１ａ）が送信メッセージの第２ノード（１ｂ）、第３ノード（１ｃ）および第４ノード（１ｄ）への第１無線送信手段と、前記第２ノード（１ｂ）が前記送信メッセージの前記第１ノード（１ａ）、前記第３ノード（１ｃ）および前記第４ノード（１ｄ）への第２無線送信手段と、前記第３ノード（１ｃ）が前記送信メッセージの前記第１ノード（１ａ）および前記第２ノード（１ｂ）への第３無線送信手段と、前記第４ノード（１ｄ）が前記送信メッセージの前記第１ノード（１ａ）および前記第２ノード（１ｂ）への第４無線送信手段と、を備え、前記送信メッセージを中継するメッシュネットワークを構成する４つのノード（１）と、前記ノード（１）の何れか１つと前記マスター／スレーブ方式で無線接続し、前記メッシュネットワークが中継する前記送信メッセージを受信する第５ノード（２）と、前記ノード（１）の何れか定めた１つと無線通信を行い、受信した前記送信メッセージを中継せず終着させる前記メッシュネットワークの端末手段として機能する第６ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッシュネットワークを構成する４つのノードの何れか１つとマスター／スレーブ方式で無線接続し、メッシュネットワークが中継する送信メッセージを受信することができないと言った問題があった。
【手続補正４】
【補正対象書類名】明細書
【補正対象項目名】０００５
【補正方法】変更
【補正の内容】
【０００５】
そこで、本発明の目的は、第５ノードがメッシュネットワークを構成する４つのノードの何れか１つとマスター／スレーブ方式で無線接続し、メッシュネットワークが中継する送信メッセージを受信することができるシステムを提供することにある。
【手続補正５】
【補正対象書類名】明細書
【補正対象項目名】０００７
【補正方法】変更
【補正の内容】
【０００７】
本発明によれば、システムは、第５ノードがメッシュネットワークを構成する４つのノードの何れか１つとマスター／スレーブ方式で無線接続し、メッシュネットワークが中継する送信メッセージを受信することができる。
【手続補正書】
【提出日】平成30年3月25日(2018.3.25)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段と、マスター／スレーブ方式の無線接続手段と、第１ノードが第２ノード、第３ノードおよび第４ノードとの第１無線通信手段と、前記第２ノードが前記第１ノード、前記第３ノードおよび前記第４ノードとの第２無線通信手段と、前記第３ノードが前記第１ノードおよび前記第２ノードとの第３無線通信手段と、前記第４ノードが前記第１ノードおよび前記第２ノードとの第４無線通信手段と、を備え、送信メッセージを中継するメッシュネットワークに備わる前記４つのノードと、
前記ノードの何れか１つと前記マスター／スレーブ方式で無線接続し、前記ノードを備えた前記メッシュネットワークが中継する前記送信メッセージを受信する第５ノードと、
前記ノードの何れか定めた１つと無線通信を行い、受信した前記送信メッセージを中継せず終着させる、前記ノードを備えたメッシュネットワークの端末手段として機能する第６ノードと、を具備することを特徴とするシステム。
【請求項２】
請求項１に記載のシステムに用いる前記第１ノード、前記第２ノード、前記第３ノード、前記第４ノードまたは前記第６ノードとして前記メッシュネットワークに備わることを特徴とする無線通信ノード。
【請求項３】
請求項１に記載のシステムに用いる前記端末手段、又は、前記端末手段との第５無線通信手段を備えることを特徴とする無線通信用集積回路。
【請求項４】
プロセッサを、
請求項１に記載のシステムに用いる前記端末手段、又は、前記端末手段との第５無線通信手段として機能させるための制御プログラム。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段と、マスター／スレーブ方式の無線接続手段（Ｈ）と、第１ノード（１ａ）が第２ノード（１ｂ）、第３ノード（１ｃ）および第４ノード（１ｄ）との第１無線通信手段と、前記第２ノード（１ｂ）が前記第１ノード（１ａ）、前記第３ノード（１ｃ）および前記第４ノード（１ｄ）との第２無線通信手段と、前記第３ノード（１ｃ）が前記第１ノード（１ａ）および前記第２ノード（１ｂ）との第３無線通信手段と、前記第４ノード（１ｄ）が前記第１ノード（１ａ）および前記第２ノード（１ｂ）との第４無線通信手段と、を備え、送信メッセージを中継するメッシュネットワークに備わる前記４つのノード（１）と、前記ノード（１）の何れか１つと前記マスター／スレーブ方式で無線接続し、前記ノード（１）を備えた前記メッシュネットワークが中継する前記送信メッセージを受信する第５ノード（２）と、前記ノード（１）の何れか定めた１つと無線通信を行い、受信した前記送信メッセージを中継せず終着させる、前記ノード（１）を備えたメッシュネットワークの端末手段として機能する第６ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッシュネットワークに備わる４つのノードの何れか１つとマスター／スレーブ方式で無線接続し、メッシュネットワークが中継する送信メッセージを受信することができないと言った問題があった。
【手続補正４】
【補正対象書類名】明細書
【補正対象項目名】０００５
【補正方法】変更
【補正の内容】
【０００５】
そこで、本発明の目的は、第５ノードがメッシュネットワークに備わる４つのノードの何れか１つとマスター／スレーブ方式で無線接続し、メッシュネットワークが中継する送信メッセージを受信することができるシステムを提供することにある。
【手続補正５】
【補正対象書類名】明細書
【補正対象項目名】０００７
【補正方法】変更
【補正の内容】
【０００７】
本発明によれば、システムは、第５ノードがメッシュネットワークに備わる４つのノードの何れか１つとマスター／スレーブ方式で無線接続し、メッシュネットワークが中継する送信メッセージを受信することができる。
【手続補正書】
【提出日】平成30年4月1日(2018.4.1)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段と、マスター／スレーブ方式を有す無線接続手段と、第１ノードが送信メッセージの第２ノード、第３ノードおよび第４ノードへの第１無線送信手段と、前記第２ノードが前記送信メッセージの前記第１ノード、前記第３ノードおよび前記第４ノードへの第２無線送信手段と、前記第３ノードが前記送信メッセージの前記第１ノードおよび前記第２ノードへの第３無線送信手段と、前記第４ノードが前記送信メッセージの前記第１ノードおよび前記第２ノードへの第４無線送信手段と、を有する前記４つのノードを備え、前記送信メッセージを中継するメッシュネットワークと、
前記メッシュネットワークの前記４つのノードの何れか定めた１つと無線通信を行い、前記メッシュネットワークの前記送信メッセージを中継せず終着させる前記メッシュネットワークの端末手段として機能する第５ノードと、を具備することを特徴とするシステム。
【請求項２】
請求項１に記載のシステムに用いる前記第１ノード、前記第２ノード、前記第３ノード、前記第４ノードまたは第５ノードとして前記メッシュネットワークに備わることを特徴とする無線通信ノード。
【請求項３】
請求項１に記載のシステムに用いる前記端末手段または前記端末手段との無線通信手段を備えることを特徴とする無線通信用集積回路。
【請求項４】
プロセッサを、
請求項１に記載のシステムに用いる前記端末手段または前記端末手段との無線通信手段として機能させるための制御プログラム。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段と、マスター／スレーブ方式を有す無線接続手段（Ｈ）と、第１ノード（１ａ）が送信メッセージの第２ノード（１ｂ）、第３ノード（１ｃ）および第４ノード（１ｄ）への第１無線送信手段と、前記第２ノード（１ｂ）が前記送信メッセージの前記第１ノード（１ａ）、前記第３ノード（１ｃ）および前記第４ノード（１ｄ）への第２無線送信手段と、前記第３ノード（１ｃ）が前記送信メッセージの前記第１ノード（１ａ）および前記第２ノード（１ｂ）への第３無線送信手段と、前記第４ノード（１ｄ）が前記送信メッセージの前記第１ノード（１ａ）および前記第２ノード（１ｂ）への第４無線送信手段と、を有する前記４つのノード（１）を備え、前記送信メッセージを中継するメッシュネットワークと、前記メッシュネットワークの前記４つのノード（１）の何れか定めた１つと無線通信を行い、前記メッシュネットワークの前記送信メッセージを中継せず終着させる前記メッシュネットワークの端末手段として機能する第５ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッシュネットワークの網目構造をなす４つのノードの何れか定めた１つと無線通信を行い、メッシュネットワークの端末手段として機能することができないと言った問題があった。
【手続補正４】
【補正対象書類名】明細書
【補正対象項目名】０００５
【補正方法】変更
【補正の内容】
【０００５】
そこで、本発明の目的は、第５ノードがメッシュネットワークの網目構造をなす４つのノードの何れか定めた１つと無線通信を行い、メッシュネットワークの端末手段として機能するシステムを提供することにある。
【手続補正５】
【補正対象書類名】明細書
【補正対象項目名】０００７
【補正方法】変更
【補正の内容】
【０００７】
本発明によれば、システムは、第５ノードがメッシュネットワークの網目構造をなす４つのノードの何れか定めた１つと無線通信を行い、メッシュネットワークの端末手段として機能することができる。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ接続による無線接続手段を備え、メッセージを無線送信する第１ないし第４ノードの内の、前記第１ノードが前記第２ノード、前記第３ノードおよび前記第４ノードへの前記メッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記第１ないし第４ノードでなるメッセージ送信手段を構築する構築手段および前記構築手段により構築された前記メッセージ送信手段を有するメッシュネットワークと、
前記メッシュネットワークの前記構築手段により構築された前記メッセージ送信手段をなす前記第１ないし第４ノードの何れか１つのみと通信を行い前記メッシュネットワークの前記メッセージを受信する無線通信手段を有し、前記無線通信手段により受信した前記メッセージを、他へ中継しない前記メッシュネットワークの端末手段として機能する第５ノードと、を具備することを特徴とするシステム。
【請求項２】
請求項１に記載のシステムに用いる前記第１ないし第４ノードの何れか１つであることを特徴とする無線通信ノード。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段およびマスター・スレーブ接続による無線接続手段（Ｈ、Ｄ）を備え、メッセージを無線送信する第１ないし第４ノード（１）の内の、前記第１ノード（１ａ）が前記第２ノード（１ｂ）、前記第３ノード（１ｃ）および前記第４ノード（１ｄ）への前記メッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記第１ないし第４ノード（１）でなるメッセージ送信手段を構築する構築手段および前記構築手段により構築された前記メッセージ送信手段を有するメッシュネットワークと、前記メッシュネットワークの前記構築手段により構築された前記メッセージ送信手段をなす前記第１ないし第４ノード（１）の何れか１つのみと通信を行い前記メッシュネットワークの前記メッセージを受信する無線通信手段を有し、前記無線通信手段により受信した前記メッセージを、他へ中継しない前記メッシュネットワークの端末手段として機能する第５ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４ノードの何れか１つのみと無線通信を行いメッシュネットワークのメッセージを受信する無線通信手段により受信したメッセージを、他へ中継しないメッシュネットワークの端末手段として機能する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、第１ないし第４ノードの何れか１つのみと無線通信を行いメッシュネットワークのメッセージを受信する無線通信手段により受信したメッセージを、他へ中継しないメッシュネットワークの端末手段として機能する第５ノードを提供することができるシステムを提供することにある。
【手続補正５】
【補正対象書類名】明細書
【補正対象項目名】０００７
【補正方法】変更
【補正の内容】
【０００７】
本発明によれば、システムは、第１ないし第４ノードの何れか１つのみと無線通信を行いメッシュネットワークのメッセージを受信する無線通信手段により受信したメッセージを、他へ中継しないメッシュネットワークの端末手段として機能する第５ノードを提供することができる。
【手続補正書】
【提出日】平成30年4月7日(2018.4.7)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ接続による無線接続手段を備え、メッセージを無線送信する第１ないし第４ノードの内の、前記第１ノードが前記第２ノード、前記第３ノードおよび前記第４ノードへの前記メッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記第１ないし第４ノードでなるメッセージ送信手段を構築する構築手段および前記構築手段により構築された前記メッセージ送信手段を有するメッシュネットワークを提供することを特徴とするシステム。
【請求項２】
前記メッシュネットワークは、前記構築手段により構築された前記メッセージ送信手段をなす前記第１ないし第４ノードの何れか１つのみと通信を行い前記メッシュネットワークの前記メッセージを受信する無線通信手段を備え、前記無線通信手段により受信した前記メッセージを、他へ中継しない前記メッシュネットワークの端末手段として機能する第５ノードを有することを特徴とする請求項１に記載のシステム。
【請求項３】
請求項１または２に記載のシステムに用いる前記第１ないし第４ノードの何れか１つであることを特徴とする無線通信ノード。
【請求項４】
請求項１または２に記載のシステムに用いる前記メッシュネットワークを構築する手段を備えることを特徴とする無線通信モジュール。
【請求項５】
請求項１または２に記載のシステムに前記メッシュネットワークを構築する手段を備えることを特徴とする無線通信集積回路。
【請求項６】
プロセッサを、
請求項１または２に記載のシステムに用いる前記メッシュネットワークを構築する手段として機能させるための制御プログラム。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段およびマスター・スレーブ接続による無線接続手段（Ｈ、Ｄ）を備え、メッセージを無線送信する第１ないし第４ノード（１）の内の、前記第１ノード（１ａ）が前記第２ノード（１ｂ）、前記第３ノード（１ｃ）および前記第４ノード（１ｄ）への前記メッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記第１ないし第４ノード（１）でなるメッセージ送信手段を構築する構築手段および前記構築手段により構築された前記メッセージ送信手段を有するメッシュネットワークを提供することを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４ノードでなるメッセージ送信手段を構築する構築手段を提供することができないと言った問題があった。
【手続補正４】
【補正対象書類名】明細書
【補正対象項目名】０００５
【補正方法】変更
【補正の内容】
【０００５】
そこで、本発明の目的は、第１ないし第４ノードでなるメッセージ送信手段を構築する構築手段を提供することができるシステムを提供することにある。
【手続補正５】
【補正対象書類名】明細書
【補正対象項目名】０００７
【補正方法】変更
【補正の内容】
【０００７】
本発明によれば、システムは、第１ないし第４ノードでなるメッセージ送信手段を構築する構築手段を提供することができる。
【手続補正書】
【提出日】平成30年4月15日(2018.4.15)
【手続補正１】
【補正対象書類名】明細書
【補正対象項目名】０００４
【補正方法】変更
【補正の内容】
【０００４】
ところで、従来のクラスタ通信システムは、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を提供することができないと言った問題があった。  
【手続補正２】
【補正対象書類名】明細書
【補正対象項目名】０００５
【補正方法】変更
【補正の内容】
【０００５】
そこで、本発明の目的は、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を提供することができるシステムを提供することにある。  
【手続補正３】
【補正対象書類名】明細書
【補正対象項目名】０００７
【補正方法】変更
【補正の内容】
【０００７】
本発明によれば、システムは、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を提供することができる。  
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ接続による無線接続手段を備え、メッセージを無線送信する第１ないし第４ノードの内の、前記第１ノードが前記第２ノード、前記第３ノードおよび前記第４ノードへの前記メッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記第１ないし第４ノードでなるメッセージ送信手段を構築する構築手段および前記構築手段により構築された前記メッセージ送信手段を有するメッシュネットワークを構築するシステムであって、
前記メッシュネットワークは、前記メッシュネットワークの前記第１ないし第４ノードの何れか１つのみと無線通信を行い前記メッシュネットワークの前記メッセージを受信する無線通信手段を備え、前記無線通信手段により受信した前記メッセージを、他へ中継しない前記メッシュネットワークの端末手段として機能する第５ノードを有することを特徴とするシステム。
【請求項２】
請求項１に記載のシステムに用いる前記第１ないし第４ノードの何れか１つであることを特徴とする無線通信ノード。
【請求項３】
請求項１に記載のシステムに用いる前記メッシュネットワークを構築する手段を備えることを特徴とする無線通信モジュール。
【請求項４】
請求項１に記載のシステムに前記メッシュネットワークを構築する手段を備えることを特徴とする無線通信集積回路。
【請求項５】
プロセッサを、
請求項１に記載のシステムに用いる前記メッシュネットワークを構築する手段として機能させるための制御プログラム。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段およびマスター・スレーブ接続による無線接続手段（Ｈ、Ｄ）を備え、メッセージを無線送信する第１ないし第４ノード（１）の内の、前記第１ノード（１ａ）が前記第２ノード（１ｂ）、前記第３ノード（１ｃ）および前記第４ノード（１ｄ）への前記メッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記第１ないし第４ノード（１）でなるメッセージ送信手段を構築する構築手段および前記構築手段により構築された前記メッセージ送信手段を有するメッシュネットワークを構築するシステムであって、前記メッシュネットワークは、前記メッシュネットワークの前記第１ないし第４ノード（１）の何れか１つのみと無線通信を行い前記メッシュネットワークの前記メッセージを受信する無線通信手段を備え、前記無線通信手段により受信した前記メッセージを、他へ中継しない前記メッシュネットワークの端末手段として機能する第５ノード（３）を有することを特徴とする。
【手続補正３】
【補正対象書類名】明細書
【補正対象項目名】０００４
【補正方法】変更
【補正の内容】
【０００４】
ところで、従来のクラスタ通信システムは、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を有するメッシュネットワークの第１ないし第４ノードの何れか１つのみと無線通信を行い、受信したメッセージを、他へ中継しないメッシュネットワークの端末手段として機能する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を有するメッシュネットワークの第１ないし第４ノードの何れか１つのみと無線通信を行い、受信したメッセージを、他へ中継しないメッシュネットワークの端末手段として機能する第５ノードを提供することができるシステムを提供することにある。
【手続補正５】
【補正対象書類名】明細書
【補正対象項目名】０００７
【補正方法】変更
【補正の内容】
【０００７】
本発明によれば、システムは、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を有するメッシュネットワークの第１ないし第４ノードの何れか１つのみと無線通信を行い、受信したメッセージを、他へ中継しないメッシュネットワークの端末手段として機能する第５ノードを提供することができる。
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ方式の無線接続手段を備え、メッセージを無線送信する第１ないし第４ノードでなる網目構造を構成し、第５ノードへ前記メッセージを送信するメッセージ送信手段を構築する構築手段、前記構築手段により構築された前記メッセージ送信手段および前記第５ノードを有するメッシュネットワークを備え、
前記第５ノードは、前記メッセージ送信手段の前記第１ないし第４ノードの何れか１つのみと無線通信を行い、前記メッセージを受信する無線通信手段を備え、前記無線通信手段により受信した前記メッセージを、他へ中継しない前記メッシュネットワークの端末手段として機能することを特徴とするシステム。
【請求項２】
請求項１に記載のシステムに用いる前記第１ないし第４ノードの何れか１つであることを特徴とする無線通信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段およびマスター・スレーブ方式の無線接続手段（Ｈ、Ｄ）を備え、メッセージを無線送信する第１ないし第４ノード（１）でなる網目構造を構成し、第５ノード（３）へ前記メッセージを送信するメッセージ送信手段を構築する構築手段、前記構築手段により構築された前記メッセージ送信手段および前記第５ノード（３）を有するメッシュネットワークを備え、前記第５ノード（３）は、前記メッセージ送信手段の前記第１ないし第４ノード（１）の何れか１つのみと無線通信を行い、前記メッセージを受信する無線通信手段を備え、前記無線通信手段により受信した前記メッセージを、他へ中継しない前記メッシュネットワークの端末手段として機能することを特徴とする。
【手続補正３】
【補正対象書類名】明細書
【補正対象項目名】０００４
【補正方法】変更
【補正の内容】
【０００４】
ところで、従来のクラスタ通信システムは、メッセージを無線送信する第１ないし第４ノードでなる網目構造を構成するメッセージ送信手段の第１ないし第４ノードの何れか１つのみと無線通信を行い、受信したメッセージを、他へ中継しないメッシュネットワークの端末手段として機能する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、メッセージを無線送信する第１ないし第４ノードでなる網目構造を構成するメッセージ送信手段の第１ないし第４ノードの何れか１つのみと無線通信を行い、受信したメッセージを、他へ中継しないメッシュネットワークの端末手段として機能する第５ノードを提供することができるシステムを提供することにある。
【手続補正５】
【補正対象書類名】明細書
【補正対象項目名】０００７
【補正方法】変更
【補正の内容】
【０００７】
本発明によれば、システムは、メッセージを無線送信する第１ないし第４ノードでなる網目構造を構成するメッセージ送信手段の第１ないし第４ノードの何れか１つのみと無線通信を行い、受信したメッセージを、他へ中継しないメッシュネットワークの端末手段として機能する第５ノードを提供することができる。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ方式の無線接続手段を保有し、メッセージを無線送信する第１ないし第４ノードでなり、メッシュの内の複数の目をなす部分の構築手段と、前記メッシュと、を有するメッシュネットワークを備えることを特徴とするシステム。
【請求項２】
請求項１に記載のシステムに用いる前記第１ないし第４ノードの何れか１つであることを特徴とする無線通信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【手続補正２】
【補正対象書類名】明細書
【補正対象項目名】０００６
【補正方法】変更
【補正の内容】
【０００６】
課題を解決するために本発明のシステムは、ブロードキャストの無線ビーコン送信手段およびマスター・スレーブ方式の無線接続手段（Ｈ、Ｄ）を保有し、メッセージを無線送信する第１ないし第４ノード（１）でなり、メッシュの内の複数の目をなす部分の構築手段と、前記メッシュと、を有するメッシュネットワークを備えることを特徴とする。
【手続補正３】
【補正対象書類名】明細書
【補正対象項目名】０００４
【補正方法】変更
【補正の内容】
【０００４】
ところで、従来のクラスタ通信システムは、メッセージを無線送信する第１ないし第４ノードでなり、メッシュの内の複数の目をなす部分の構築手段を提供することができないと言った問題があった。
【手続補正４】
【補正対象書類名】明細書
【補正対象項目名】０００５
【補正方法】変更
【補正の内容】
【０００５】
そこで、本発明の目的は、メッセージを無線送信する第１ないし第４ノードでなり、メッシュの内の複数の目をなす部分の構築手段を提供することができるシステムを提供することにある。
【手続補正５】
【補正対象書類名】明細書
【補正対象項目名】０００７
【補正方法】変更
【補正の内容】
【０００７】
本発明によれば、システムは、メッセージを無線送信する第１ないし第４ノードでなり、メッシュの内の複数の目をなす部分の構築手段を提供することができる。
【手続補正書】
【提出日】平成30年4月28日(2018.4.28)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ方式の無線接続手段を保有し、メッセージを無線送信する第１ないし第４ノードでなり、メッシュの内の複数の目をなす部分の構築手段と、前記メッシュと、を有するメッシュネットワークを提供することを特徴とするシステム。
【請求項２】
請求項１に記載のシステムに用いる前記第１ないし第４ノードの何れか１つであることを特徴とする無線通信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【手続補正２】
【補正対象書類名】明細書
【補正対象項目名】０００６
【補正方法】変更
【補正の内容】
【０００６】
課題を解決するために本発明のシステムは、ブロードキャストの無線ビーコン送信手段およびマスター・スレーブ方式の無線接続手段（Ｈ、Ｄ）を保有し、メッセージを無線送信する第１ないし第４ノード（１）でなり、メッシュの内の複数の目をなす部分の構築手段と、前記メッシュと、を有するメッシュネットワークを提供することを特徴とする。
【手続補正３】
【補正対象書類名】明細書
【補正対象項目名】０００４
【補正方法】変更
【補正の内容】
【０００４】
ところで、従来のクラスタ通信システムは、メッセージを無線送信する第１ないし第４ノードでなり、メッシュの内の複数の目をなす部分の構築手段を提供することができないと言った問題があった。
【手続補正４】
【補正対象書類名】明細書
【補正対象項目名】０００５
【補正方法】変更
【補正の内容】
【０００５】
そこで、本発明の目的は、メッセージを無線送信する第１ないし第４ノードでなり、メッシュの内の複数の目をなす部分の構築手段を提供することができるシステムを提供することにある。
【手続補正５】
【補正対象書類名】明細書
【補正対象項目名】０００７
【補正方法】変更
【補正の内容】
【０００７】
本発明によれば、システムは、メッセージを無線送信する第１ないし第４ノードでなり、メッシュの内の複数の目をなす部分の構築手段を提供することができる。
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ方式の無線接続手段を有する第１ないし第４ノードのみでメッシュネットワークのメッシュ手段の内の複数の目を構築する構築手段と、前記目を有する前記メッシュ手段と、を備えることを特徴とするシステム。
【請求項２】
請求項１に記載のシステムに用いる前記第１ないし第４ノードの何れか１つであることを特徴とする無線通信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【手続補正２】
【補正対象書類名】明細書
【補正対象項目名】０００６
【補正方法】変更
【補正の内容】
【０００６】
課題を解決するために本発明のシステムは、ブロードキャストの無線ビーコン送信手段およびマスター・スレーブ方式の無線接続手段（Ｈ、Ｄ）を有する第１ないし第４ノード（１ａ−１ｄ）のみでメッシュネットワークのメッシュ手段の内の複数の目を構築する構築手段と、前記目を有する前記メッシュ手段と、を備えることを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４ノードのみでメッシュネットワークのメッシュ手段の内の複数の目を構築する構築手段を提供することができないと言った問題があった。
【手続補正４】
【補正対象書類名】明細書
【補正対象項目名】０００５
【補正方法】変更
【補正の内容】
【０００５】
そこで、本発明の目的は、第１ないし第４ノードのみでメッシュネットワークのメッシュ手段の内の複数の目を構築する構築手段を提供することができるシステムを提供することにある。
【手続補正５】
【補正対象書類名】明細書
【補正対象項目名】０００７
【補正方法】変更
【補正の内容】
【０００７】
本発明によれば、システムは、第１ないし第４ノードのみでメッシュネットワークのメッシュ手段の内の複数の目を構築する構築手段を提供することができる。
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ方式の無線接続手段を有する第１ないし第４ノードのみでメッシュネットワークのメッシュ手段の内の複数の目を構築する構築手段を備えることを特徴とするシステム。
【請求項２】
請求項１に記載のシステムに用いる前記第１ないし第４ノードの何れか１つであることを特徴とする無線通信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段およびマスター・スレーブ方式の無線接続手段（Ｈ、Ｄ）を有する第１ないし第４ノード（１ａ−１ｄ）のみでメッシュネットワークのメッシュ手段の内の複数の目を構築する構築手段を備えることを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４ノードのみでメッシュネットワークのメッシュ手段の内の複数の目を構築することができないと言った問題があった。
【手続補正４】
【補正対象書類名】明細書
【補正対象項目名】０００５
【補正方法】変更
【補正の内容】
【０００５】
そこで、本発明の目的は、第１ないし第４ノードのみでメッシュネットワークのメッシュ手段の内の複数の目を構築することができるシステムを提供することにある。
【手続補正５】
【補正対象書類名】明細書
【補正対象項目名】０００７
【補正方法】変更
【補正の内容】
【０００７】
本発明によれば、システムは、第１ないし第４ノードのみでメッシュネットワークのメッシュ手段の内の複数の目を構築することができる。
【手続補正書】
【提出日】平成30年5月19日(2018.5.19)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段と、マスター・スレーブ方式の無線接続手段と、を有する第１ないし第４ノードと、
前記第１ないし第４ノードのみでメッシュネットワークのメッシュ手段の内の複数の目を構築する構築手段と、を備えることを特徴とするシステム。
【請求項２】
請求項１に記載のシステムに用いる前記第１ないし第４ノードの何れか１つであることを特徴とする無線通信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【請求項６】
ブロードキャストの無線ビーコン送信手段と、マスター・スレーブ方式の無線接続手段と、を有する第１ないし第４ノードのみでメッシュネットワークのメッシュ手段の内の複数の目を構築させることを特徴とする方法。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段と、マスター・スレーブ方式の無線接続手段（Ｈ、Ｄ）と、を有する第１ないし第４ノード（１ａ−１ｄ）と、前記第１ないし第４ノード（１ａ−１ｄ）のみでメッシュネットワークのメッシュ手段の内の複数の目を構築する構築手段と、を備えることを特徴とする。
【手続補正３】
【補正対象書類名】明細書
【補正対象項目名】０００５
【補正方法】変更
【補正の内容】
【０００５】
そこで、本発明の目的は、第１ないし第４ノードのみでメッシュネットワークのメッシュ手段の内の複数の目を構築することができるシステムおよび方法を提供することにある。
【手続補正４】
【補正対象書類名】明細書
【補正対象項目名】０００７
【補正方法】変更
【補正の内容】
【０００７】
本発明によれば、システムおよび方法は、第１ないし第４ノードのみでメッシュネットワークのメッシュ手段の内の複数の目を構築することができる。
【手続補正書】
【提出日】平成30年5月26日(2018.5.26)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段と、
マスター・スレーブ方式の無線接続手段と、
メッシュネットワークのメッシュ手段の内の隣接する複数の目を、第１ないし第４ノードで構築する構築手段と、を有する前記第１ないし第４ノードを備えることを特徴とするシステム。
【請求項２】
請求項１に記載のシステムに用いる前記第１ないし第４ノードの何れか１つであることを特徴とする無線通信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【請求項６】
ブロードキャストの無線ビーコン送信手段およびマスター・スレーブ方式の無線接続手段を有する第１ないし第４ノードは、メッシュネットワークのメッシュ手段の内の隣接する複数の目を、前記第１ないし第４ノードで構築する構築手段を提供することを特徴とする方法。
【手続補正２】
【補正対象書類名】明細書
【補正対象項目名】０００６
【補正方法】変更
【補正の内容】
【０００６】
課題を解決するために本発明のシステムは、ブロードキャストの無線ビーコン送信手段と、マスター・スレーブ方式の無線接続手段と、メッシュネットワークのメッシュ手段の内の隣接する複数の目を、第１ないし第４ノードで構築する構築手段と、を有する前記第１ないし第４ノードを備えることを特徴とする。
【手続補正３】
【補正対象書類名】明細書
【補正対象項目名】０００４
【補正方法】変更
【補正の内容】
【０００４】
ところで、従来のクラスタ通信システムは、メッシュネットワークのメッシュ手段の内の隣接する複数の目を、第１ないし第４ノードで構築する構築手段を提供することができないと言った問題があった。
【手続補正４】
【補正対象書類名】明細書
【補正対象項目名】０００５
【補正方法】変更
【補正の内容】
【０００５】
そこで、本発明の目的は、メッシュネットワークのメッシュ手段の内の隣接する複数の目を、第１ないし第４ノードで構築する構築手段を提供することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、メッシュネットワークのメッシュ手段の内の隣接する複数の目を、第１ないし第４ノードで構築する構築手段を提供することができる。
【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ方式の無線接続手段を有する第１ないし第４無線ビーコン送信ノードを備え、
前記第１ないし第４無線ビーコン送信ノードは、前記第１ないし第４無線ビーコン送信ノードでメッシュネットワークのメッシュ手段の内の隣接する複数の目を構築する構築手段を備えることを特徴とするシステム。
【請求項２】
請求項１に記載のシステムに用いる前記第１ないし第４無線ビーコン送信ノードの何れか１つであることを特徴とする無線ビーコン送信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【請求項６】
ブロードキャストの無線ビーコン送信手段およびマスター・スレーブ方式の無線接続手段を有する第１ないし第４無線ビーコン送信ノードは、前記第１ないし第４無線ビーコン送信ノードでメッシュネットワークのメッシュ手段の内の隣接する複数の目を構築する構築手段を提供することを特徴とする方法。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段およびマスター・スレーブ方式の無線接続手段を有する第１ないし第４無線ビーコン送信ノードを備え、前記第１ないし第４無線ビーコン送信ノードは、前記第１ないし第４無線ビーコン送信ノードでメッシュネットワークのメッシュ手段の内の隣接する複数の目を構築する構築手段を備えることを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４無線ビーコン送信ノードでメッシュネットワークのメッシュ手段の内の隣接する複数の目を構築する構築手段を提供することができないと言った問題があった。
【手続補正４】
【補正対象書類名】明細書
【補正対象項目名】０００５
【補正方法】変更
【補正の内容】
【０００５】
そこで、本発明の目的は、第１ないし第４無線ビーコン送信ノードでメッシュネットワークのメッシュ手段の内の隣接する複数の目を構築する構築手段を提供することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、第１ないし第４無線ビーコン送信ノードでメッシュネットワークのメッシュ手段の内の隣接する複数の目を構築する構築手段を提供することができる。
【手続補正書】
【提出日】平成30年6月3日(2018.6.3)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段およびマスター・スレーブ方式の無線接続手段を有する第１ないし第４無線ビーコン送信ノードを備え、
前記第１ないし第４無線ビーコン送信ノードは、前記第１ないし第４無線ビーコン送信ノードで無線メッシュネットワークのメッシュ手段の内の隣接する複数の目を構築する構築手段を備えることを特徴とするシステム。
【請求項２】
請求項１に記載のシステムに用いる前記第１ないし第４無線ビーコン送信ノードの何れか１つであることを特徴とする無線ビーコン送信ノード。
【請求項３】
請求項１に記載のシステムに用いる前記構築手段を備えることを特徴とする無線通信モジュール。
【請求項４】
請求項１に記載のシステムに用いる前記構築手段を備えることを特徴とする無線通信集積回路。
【請求項５】
プロセッサを、
請求項１に記載のシステムに用いる前記構築手段として機能させるための制御プログラム。
【請求項６】
ブロードキャストの無線ビーコン送信手段およびマスター・スレーブ方式の無線接続手段を有する第１ないし第４無線ビーコン送信ノードは、前記第１ないし第４無線ビーコン送信ノードで無線メッシュネットワークのメッシュ手段の内の隣接する複数の目を構築する構築手段を提供することを特徴とする方法。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段およびマスター・スレーブ方式の無線接続手段を有する第１ないし第４無線ビーコン送信ノードを備え、前記第１ないし第４無線ビーコン送信ノードは、前記第１ないし第４無線ビーコン送信ノードで無線メッシュネットワークのメッシュ手段の内の隣接する複数の目を構築する構築手段を備えることを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４無線ビーコン送信ノードで無線メッシュネットワークのメッシュ手段の内の隣接する複数の目を構築する構築手段を提供することができないと言った問題があった。
【手続補正４】
【補正対象書類名】明細書
【補正対象項目名】０００５
【補正方法】変更
【補正の内容】
【０００５】
そこで、本発明の目的は、第１ないし第４無線ビーコン送信ノードで無線メッシュネットワークのメッシュ手段の内の隣接する複数の目を構築する構築手段を提供することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、第１ないし第４無線ビーコン送信ノードで無線メッシュネットワークのメッシュ手段の内の隣接する複数の目を構築する構築手段を提供することができる。
【手続補正書】
【提出日】平成30年6月9日(2018.6.9)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段と、無線接続する一方が常にマスターであり他方が常にスレーブであるマスター・スレーブ方式の無線接続手段と、を有する第１ないし第４無線ビーコン送信ノードを備え、
前記第１ないし第４無線ビーコン送信ノードは、メッシュネットワークのメッシュ手段の内の隣接する複数の無線通信手段の目を、前記第１ないし第４無線ビーコン送信ノードが構築する構築手段を備えることを特徴とするシステム。
【請求項２】
請求項１に記載のシステムに用いる前記第１ないし第４無線ビーコン送信ノードの何れか１つであることを特徴とするノード。
【請求項３】
請求項１に記載のシステムに用いる前記構築手段を備えることを特徴とするモジュール。
【請求項４】
請求項１に記載のシステムに用いる前記構築手段を備えることを特徴とする集積回路。
【請求項５】
プロセッサを、
請求項１に記載のシステムに用いる前記構築手段として機能させるための制御プログラム。
【請求項６】
ブロードキャストの無線ビーコン送信手段と、無線接続する一方が常にマスターであり他方が常にスレーブであるマスター・スレーブ方式の無線接続手段と、を有する第１ないし第４無線ビーコン送信ノードは、メッシュネットワークのメッシュ手段の内の隣接する複数の無線通信手段の目を、前記第１ないし第４無線ビーコン送信ノードが構築する構築手段を提供することを特徴とする方法。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段と、無線接続する一方が常にマスターであり他方が常にスレーブであるマスター・スレーブ方式の無線接続手段と、を有する第１ないし第４無線ビーコン送信ノードを備え、前記第１ないし第４無線ビーコン送信ノードは、メッシュネットワークのメッシュ手段の内の隣接する複数の無線通信手段の目を、前記第１ないし第４無線ビーコン送信ノードが構築する構築手段を備えることを特徴とする。
【手続補正３】
【補正対象書類名】明細書
【補正対象項目名】０００４
【補正方法】変更
【補正の内容】
【０００４】
ところで、従来のクラスタ通信システムは、メッシュネットワークのメッシュ手段の内の隣接する複数の無線通信手段の目を、第１ないし第４無線ビーコン送信ノードが構築する構築手段を提供することができないと言った問題があった。
【手続補正４】
【補正対象書類名】明細書
【補正対象項目名】０００５
【補正方法】変更
【補正の内容】
【０００５】
そこで、本発明の目的は、メッシュネットワークのメッシュ手段の内の隣接する複数の無線通信手段の目を、第１ないし第４無線ビーコン送信ノードが構築する構築手段を提供することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、メッシュネットワークのメッシュ手段の内の隣接する複数の無線通信手段の目を、第１ないし第４無線ビーコン送信ノードが構築する構築手段を提供することができる。
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
ブロードキャストの無線ビーコン送信手段と、無線接続する一方が常にマスターであり他方が常にスレーブであるマスター・スレーブ方式の無線接続手段と、を有する第１ないし第４無線ビーコン送信ノードを備え、
前記第１ないし第４無線ビーコン送信ノードは、メッシュネットワークのメッシュ手段の内の無線通信手段でなる隣接する複数の目を、前記第１ないし第４無線ビーコン送信ノードが構築する構築手段を備えることを特徴とするシステム。
【請求項２】
請求項１に記載のシステムに用いる前記第１ないし第４無線ビーコン送信ノードの何れか１つであることを特徴とするノード。
【請求項３】
請求項１に記載のシステムに用いる前記構築手段を備えることを特徴とするモジュール。
【請求項４】
請求項１に記載のシステムに用いる前記構築手段を備えることを特徴とする集積回路。
【請求項５】
プロセッサを、
請求項１に記載のシステムに用いる前記構築手段として機能させるための制御プログラム。
【請求項６】
ブロードキャストの無線ビーコン送信手段と、無線接続する一方が常にマスターであり他方が常にスレーブであるマスター・スレーブ方式の無線接続手段と、を有する第１ないし第４無線ビーコン送信ノードは、メッシュネットワークのメッシュ手段の内の無線通信手段でなる隣接する複数の目を、前記第１ないし第４無線ビーコン送信ノードが構築する構築手段を提供することを特徴とする方法。
【手続補正２】
【補正対象書類名】明細書
【補正対象項目名】０００６
【補正方法】変更
【補正の内容】
【０００６】
課題を解決するため本発明のシステムは、ブロードキャストの無線ビーコン送信手段と、無線接続する一方が常にマスターであり他方が常にスレーブであるマスター・スレーブ方式の無線接続手段と、を有する第１ないし第４無線ビーコン送信ノードを備え、前記第１ないし第４無線ビーコン送信ノードは、メッシュネットワークのメッシュ手段の内の無線通信手段でなる隣接する複数の目を、前記第１ないし第４無線ビーコン送信ノードが構築する構築手段を備えることを特徴とする。
【手続補正３】
【補正対象書類名】明細書
【補正対象項目名】０００４
【補正方法】変更
【補正の内容】
【０００４】
ところで、従来のクラスタ通信システムは、メッシュネットワークのメッシュ手段の内の無線通信手段でなる隣接する複数の目を、第１ないし第４無線ビーコン送信ノードが構築する構築手段を提供することができないと言った問題があった。
【手続補正４】
【補正対象書類名】明細書
【補正対象項目名】０００５
【補正方法】変更
【補正の内容】
【０００５】
そこで、本発明の目的は、メッシュネットワークのメッシュ手段の内の無線通信手段でなる隣接する複数の目を、第１ないし第４無線ビーコン送信ノードが構築する構築手段を提供することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、メッシュネットワークのメッシュ手段の内の無線通信手段でなる隣接する複数の目を、第１ないし第４無線ビーコン送信ノードが構築する構築手段を提供することができる。
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
無線接続する一方が常にマスターであり他方が常にスレーブであるマスター・スレーブ方式の無線接続手段を有する第１ないし第４ノードがメッシュネットワークのメッシュ手段の内の無線通信手段でなる隣接する複数の目を構築する構築手段を有する前記第１ないし第４ノードと、
前記構築手段を有する前記第１ないし第４ノードの何れか１つの前記無線接続手段と接続する第５ノードと、
前記構築手段を有する前記第１ないし第４ノードが前記第５ノードと前記無線接続手段により接続する接続手段と、を備えることを特徴とするシステム。
【請求項２】
請求項１に記載のシステムに用いる前記第１ないし第４ノードの何れか１つであることを特徴とするノード。
【請求項３】
請求項１に記載のシステムに用いる前記構築手段および前記接続手段を備えることを特徴とするモジュール。
【請求項４】
請求項１に記載のシステムに用いる前記構築手段および前記接続手段を備えることを特徴とする集積回路。
【請求項５】
プロセッサを、
請求項１に記載のシステムに用いる前記構築手段および前記接続手段として機能させるための制御プログラム。
【請求項６】
無線接続する一方が常にマスターであり他方が常にスレーブであるマスター・スレーブ方式の無線接続手段有する第１ないし第４ノードがメッシュネットワークのメッシュ手段の内の無線通信手段でなる隣接する複数の目を構築する構築手段を有する前記第１ないし第４ノードは、前記構築手段を有する前記第１ないし第４ノードの何れか１つの前記無線接続手段と接続する第５ノードと前記無線接続手段により接続する過程を含むことを特徴とする方法。
【手続補正２】
【補正対象書類名】明細書
【補正対象項目名】０００６
【補正方法】変更
【補正の内容】
【０００６】
課題を解決するため本発明のシステムは、無線接続する一方が常にマスターであり他方が常にスレーブであるマスター・スレーブ方式の無線接続手段を有する第１ないし第４ノードがメッシュネットワークのメッシュ手段の内の無線通信手段でなる隣接する複数の目を構築する構築手段を有する前記第１ないし第４ノードと、前記構築手段を有する前記第１ないし第４ノードの何れか１つの前記無線接続手段と接続する第５ノードと、前記構築手段を有する前記第１ないし第４ノードが前記第５ノードと前記無線接続手段により接続する接続手段と、を備えることを特徴とする。
【手続補正３】
【補正対象書類名】明細書
【補正対象項目名】０００４
【補正方法】変更
【補正の内容】
【０００４】
ところで、従来のクラスタ通信システムは、メッシュネットワークのメッシュ手段の内の無線通信手段でなる隣接する複数の目を構築する第１ないし第４ノードの何れか１つとマスター・スレーブ方式で接続する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、メッシュネットワークのメッシュ手段の内の無線通信手段でなる隣接する複数の目を構築する第１ないし第４ノードの何れか１つとマスター・スレーブ方式で接続する第５ノードを提供することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、メッシュネットワークのメッシュ手段の内の無線通信手段でなる隣接する複数の目を構築する第１ないし第４ノードの何れか１つとマスター・スレーブ方式で接続する第５ノードを提供することができる。
【手続補正書】
【提出日】平成30年6月12日(2018.6.12)
【手続補正１】
【補正対象書類名】明細書
【補正対象項目名】０００４
【補正方法】変更
【補正の内容】
【０００４】
ところで、従来のクラスタ通信システムは、メッシュネットワークのメッシュ手段の内の無線通信手段でなる隣接する複数の目を構築の第１ないし第４ノードの何れか１つとマスター・スレーブ方式の接続関係にある第５ノードを提供することができないと言った問題があった。  
【手続補正２】
【補正対象書類名】明細書
【補正対象項目名】０００５
【補正方法】変更
【補正の内容】
【０００５】
そこで、本発明の目的は、メッシュネットワークのメッシュ手段の内の無線通信手段でなる隣接する複数の目を構築の第１ないし第４ノードの何れか１つとマスター・スレーブ方式の接続関係にある第５ノードを提供することができるシステムおよび方法を提供することにある。
【手続補正３】
【補正対象書類名】明細書
【補正対象項目名】０００７
【補正方法】変更
【補正の内容】
【０００７】
本発明によれば、システムおよび方法は、メッシュネットワークのメッシュ手段の内の無線通信手段でなる隣接する複数の目を構築の第１ないし第４ノードの何れか１つとマスター・スレーブ方式の接続関係にある第５ノードを提供することができる。
【手続補正書】
【提出日】平成30年6月16日(2018.6.16)
【手続補正１】
【補正対象書類名】特許請求の範囲
【補正対象項目名】全文
【補正方法】変更
【補正の内容】
【特許請求の範囲】
【請求項１】
無線接続する一方が常にマスターであり他方が常にスレーブであるマスター・スレーブ方式の無線接続手段を有する第１ないし第４ノードがメッシュネットワークのメッシュ手段の内の無線通信手段でなる隣接する複数の目を構築する構築手段を有する前記第１ないし第４ノードと、
前記構築手段を有する前記第１ないし第４ノードの何れか１つのみと無線通信を行い、受信するメッセージを他へ中継しない、前記構築手段を有する前記第１ないし第４ノードを含む前記メッシュネットワークの端末手段を有する第５ノードと、
前記構築手段を有する前記第１ないし第４ノードが前記無線通信により前記第５ノードに、前記メッセージを送信するメッセージ送信手段と、を備えることを特徴とするシステム。
【請求項２】
請求項１に記載のシステムに用いる前記第１ないし第５ノードの何れか１つであることを特徴とするノード。
【請求項３】
請求項１に記載のシステムに用いる前記構築手段を備えることを特徴とするモジュール。
【請求項４】
請求項１に記載のシステムに用いる前記構築手段を備えることを特徴とする集積回路。
【請求項５】
プロセッサを、
請求項１に記載のシステムに用いる前記構築手段として機能させるための制御プログラム。
【請求項６】
無線接続する一方が常にマスターであり他方が常にスレーブであるマスター・スレーブ方式の無線接続手段を有する第１ないし第４ノードがメッシュネットワークのメッシュ手段の内の無線通信手段でなる隣接する複数の目を構築する構築手段を有する前記第１ないし第４ノードは、前記構築手段を有する前記第１ないし第４ノードの何れか１つのみと無線通信を行い、受信するメッセージを他へ中継しない、前記構築手段を有する前記第１ないし第４ノードを含む前記メッシュネットワークの端末手段を有する第５ノードに前記無線通信により前記メッセージを送信する過程を含むことを特徴とする方法。
【手続補正２】
【補正対象書類名】明細書
【補正対象項目名】０００６
【補正方法】変更
【補正の内容】
【０００６】
課題を解決するため本発明のシステムは、無線接続する一方が常にマスターであり他方が常にスレーブであるマスター・スレーブ方式の無線接続手段を有する第１ないし第４ノードがメッシュネットワークのメッシュ手段の内の無線通信手段でなる隣接する複数の目を構築する構築手段を有する前記第１ないし第４ノードと、前記構築手段を有する前記第１ないし第４ノードの何れか１つのみと無線通信を行い、受信するメッセージを他へ中継しない、前記構築手段を有する前記第１ないし第４ノードを含む前記メッシュネットワークの端末手段を有する第５ノードと、前記構築手段を有する前記第１ないし第４ノードが前記無線通信により前記第５ノードに、前記メッセージを送信するメッセージ送信手段と、を備えることを特徴とする。
【手続補正３】
【補正対象書類名】明細書
【補正対象項目名】０００４
【補正方法】変更
【補正の内容】
【０００４】
ところで、従来のクラスタ通信システムは、メッシュネットワークのメッシュ手段の内の無線通信手段でなる隣接する複数の目を構築のマスター・スレーブ方式の第１ないし第４ノードの何れか１つのみと無線通信を行い、受信するメッセージを他へ中継しない当該メッシュネットワークの端末手段を有する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、メッシュネットワークのメッシュ手段の内の無線通信手段でなる隣接する複数の目を構築のマスター・スレーブ方式の第１ないし第４ノードの何れか１つのみと無線通信を行い、受信するメッセージを他へ中継しない当該メッシュネットワークの端末手段を有する第５ノードを提供することができるシステムおよび方法を提供することにある。
【手続補正５】
【補正対象書類名】明細書
【補正対象項目名】０００７
【補正方法】変更
【補正の内容】
【０００７】
本発明によれば、システムおよび方法は、メッシュネットワークのメッシュ手段の内の無線通信手段でなる隣接する複数の目を構築のマスター・スレーブ方式の第１ないし第４ノードの何れか１つのみと無線通信を行い、受信するメッセージを他へ中継しない当該メッシュネットワークの端末手段を有する第５ノードを提供することができる。
【手続補正書】
【提出日】平成30年6月16日(2018.6.16)
【手続補正１】
【補正対象書類名】明細書
【補正対象項目名】０００４
【補正方法】変更
【補正の内容】
【０００４】
ところで、従来のクラスタ通信システムは、メッシュネットワークのメッシュ手段の内の無線通信手段でなる隣接する複数の目を構築のマスター・スレーブ方式の第１ないし第４ノードの何れか１つのみと無線通信を行い、受信するメッセージを他へ中継しない当該メッシュネットワークの端末手段をなす第５ノードを提供することができないと言った問題があった。  
【手続補正２】
【補正対象書類名】明細書
【補正対象項目名】０００５
【補正方法】変更
【補正の内容】
【０００５】
そこで、本発明の目的は、メッシュネットワークのメッシュ手段の内の無線通信手段でなる隣接する複数の目を構築のマスター・スレーブ方式の第１ないし第４ノードの何れか１つのみと無線通信を行い、受信するメッセージを他へ中継しない当該メッシュネットワークの端末手段をなす第５ノードを提供することができるシステムおよび方法を提供することにある。
【手続補正３】
【補正対象書類名】明細書
【補正対象項目名】０００７
【補正方法】変更
【補正の内容】
【０００７】
本発明によれば、システムおよび方法は、メッシュネットワークのメッシュ手段の内の無線通信手段でなる隣接する複数の目を構築のマスター・スレーブ方式の第１ないし第４ノードの何れか１つのみと無線通信を行い、受信するメッセージを他へ中継しない当該メッシュネットワークの端末手段をなす第５ノードを提供することができる。